(57)【要約】【課題】エンジンの始動時間に基づいて、エンジン始動系部品の故障の有無を監視する異常監視システムにおいて、監視精度を高める。【解決手段】車両Ａの始動時間に基づいてエンジン始動系部品の故障の有無を監視する異常監視システム７０である。車両Ａには、始動時間と変動要因情報とを情報センター７１へ送信可能なデータ送信装置が搭載されている。情報センター７１には、複数の他車両Ｂ，Ｃ，Ｄ，…から始動時間および変動要因情報を受信可能なサーバー７２が設けられている。サーバー７２は、車両Ａの始動時間が複数の他車両Ｂ，Ｃ，Ｄ，…の始動時間と比較して長い場合には、変動要因および変動要因と始動時間との相関性に関する、複数の他車両Ｂ，Ｃ，Ｄ，…と車両Ａとの比較に基づいて、車両Ａの始動時間の長期化が故障によるものか、使用態様によるものかを判定し、判定結果を車両Ａの運転者に伝達する。【選択図】図３
2018189029.tif 000002
【特許請求の範囲】
【請求項１】
複数の車両と情報センターとを備え、対象車両におけるエンジンの始動時間に基づいてエンジン始動系部品の故障の有無を監視する異常監視システムであって、
上記対象車両には、始動時間と、始動時間に影響する変動要因に関する変動要因情報と、を上記情報センターへ送信可能な送信手段が搭載され、
上記情報センターには、上記と同種の送信手段が搭載された複数の他車両から、始動時間および変動要因情報を受信可能なサーバーが設けられており、
上記サーバーは、上記対象車両の始動時間が上記複数の他車両の始動時間と比較して長い場合には、変動要因および変動要因と始動時間との相関性に関する、当該複数の他車両と当該対象車両との比較に基づいて、当該対象車両の始動時間の長期化が故障によるものか、使用態様によるものかを判定し、当該判定結果を当該対象車両の運転者に伝達するように構成されていることを特徴とする異常監視システム。
【発明の詳細な説明】
【技術分野】
【０００１】
本発明は、異常監視システムに関し、特に、エンジン始動系部品の故障の有無を監視する異常監視システムに関するものである。
【背景技術】
【０００２】
従来から、車両の状態に基づいて車両構成部品の故障の有無を監視する様々なシステムが構築されているところ、エンジン始動系部品については、エンジンの始動時間に基づいて故障の有無を監視することが多い。
【０００３】
例えば特許文献１には、バッテリに電気的に接続された電池の状態検出装置によって始動電圧と始動時間との関係を監視し、始動電圧が高いにもかかわらず始動時間が長くなる現象が現れた場合に、始動系の異常を警報するバッテリの状態検出装置が開示されている。
【先行技術文献】
【特許文献】
【０００４】
【特許文献１】特開２００９−４００７０号公報
【発明の概要】
【発明が解決しようとする課題】
【０００５】
上記特許文献１のものでは、始動系の電気接点が劣化すると、接点の抵抗値が変動して始動時間が長くなることに着目し、始動電圧が高いにもかかわらず始動時間が長くなる現象が現れた場合に、始動系の異常を検知するようにしている。
【０００６】
しかしながら、始動時間が長くなる現象は、劣化によってのみ生じる訳ではなく、例えば、エンジン水温が低い、ソーク時間が長い、といった劣化とは無関係な要因に起因して生じることもある。
【０００７】
また、一口に劣化といっても、使用態様等に応じて生じる通常の経年劣化と、寿命が想定外に短い劣化（所謂故障）とがあるところ、かかる経年劣化と故障とを、始動時間に基づいて明確に判別することは容易ではない。なぜなら、始動時間が長いときに、例えば、総走行距離が短かれば故障と、総走行距離が長ければ通常の経年劣化と、切り分けることも考えられるが、総走行距離が短くても、上述の如く劣化とは無関係な要因に起因して始動時間が長くなる場合があり、かかる場合に故障と誤判定するおそれがあるからである。
【０００８】
本発明はかかる点に鑑みてなされたものであり、その目的とするところは、エンジンの始動時間に基づいて、エンジン始動系部品の故障の有無を監視する異常監視システムにおいて、監視精度を高める技術を提供することにある。
【課題を解決するための手段】
【０００９】
前記目的を達成するため、本発明に係る異常監視システムでは、複数の他車両から始動時間および始動時間に影響する変動要因を取得するとともに、これら複数の他車両における始動時間や変動要因等との比較に基づき、対象車両の始動時間の長期化が、使用態様（車両の使われ方）によるものか否かを判定するようにしている。
【００１０】
具体的には、本発明は、複数の車両と情報センターとを備え、対象車両におけるエンジンの始動時間に基づいてエンジン始動系部品の故障の有無を監視する異常監視システムを対象としている。
【００１１】
そして、上記対象車両には、始動時間と、始動時間に影響する変動要因に関する変動要因情報と、を上記情報センターへ送信可能な送信手段が搭載され、上記情報センターには、上記と同種の送信手段が搭載された複数の他車両から、始動時間および変動要因情報を受信可能なサーバーが設けられており、上記サーバーは、上記対象車両の始動時間が上記複数の他車両の始動時間と比較して長い場合には、変動要因および変動要因と始動時間との相関性に関する、当該複数の他車両と当該対象車両との比較に基づいて、当該対象車両の始動時間の長期化が故障によるものか、使用態様によるものかを判定し、当該判定結果を当該対象車両の運転者に伝達するように構成されていることを特徴とするものである。
【００１２】
なお、本発明において「エンジン始動系部品」とは、例えばバッテリや燃料ポンプやインジェクタ等といったエンジン始動に直接的に用いられる部品のみならず、例えばエンジン水温センサや燃圧センサ等といった、間接的ではあるがエンジン始動制御に関連する部品をも含むものである。
【００１３】
また、本発明において「故障」とは、耐用年数内での使用に伴って生じる通常の経年劣化とは異なり、耐用年数内であるにも拘わらず想定外の短さで寿命を迎える（作動不良等を生じる）場合を意味する。
【００１４】
さらに、本発明において「変動要因」とは、例えば、総走行距離や、使用負荷領域や、燃料の圧力（燃圧）や、エンジン水温や、圧縮圧等といった、それらの変動がエンジンの始動時間に影響するものを意味する。
【００１５】
また、本発明において「変動要因と始動時間との相関性」とは、変動要因と始動時間との関係性を表すものであり、例えば（変動要因、始動時間）を（ｘ、ｙ）で表した点列を直線近似して得られる近似直線の傾きや、変動要因および始動時間の標準偏差と共分散とに基づいて算出される相関係数などを挙げることができる。
【００１６】
以上を前提にして、本発明によれば、対象車両の始動時間が複数の他車両の始動時間と比較して同等である場合や短い場合には、サーバーにおいて当然に故障なしと判定される。
【００１７】
一方、対象車両の始動時間が複数の他車両の始動時間と比較して長い場合には、変動要因および変動要因と始動時間との相関性に関して、複数の他車両と対象車両との比較を行う。
【００１８】
例えば、「変動要因」として、総走行距離、燃圧およびエンジン水温が取得されている場合に、「相関性」として、複数の他車両における近似直線の傾き１（始動時間／総走行距離）、傾き２（始動時間／燃圧）、傾き３（始動時間／エンジン水温）が取得されていると仮定する。
【００１９】
そうして、複数の他車両との比較において、例えば、対象車両の総走行距離が長く且つＴ１＝始動時間／総走行距離が傾き１から外れておらず、対象車両の燃圧が平均的で且つＴ２＝始動時間／燃圧が傾き２から外れており、対象車両のエンジン水温が平均的で且つＴ３＝始動時間／エンジン水温が傾き３から外れているという比較結果が得られたとする。この比較結果から、燃圧およびエンジン水温が平均的であることから、Ｔ２と傾き２とのズレおよびＴ３と傾き３とのズレは総走行距離による影響と推測されるので、当該比較結果は、対象車両の始動時間の長期化が使用態様（総走行距離）によるとの１つの判定材料になる。
【００２０】
また、複数の他車両との比較において、例えば、対象車両の総走行距離が平均的で且つＴ１が傾き１から外れており、対象車両の燃圧が低く且つＴ２が傾き２から外れておらず、対象車両のエンジン水温が平均的で且つＴ３が傾き３から外れているという比較結果が得られたとする。この比較結果から、Ｔ１と傾き１とのズレおよびＴ３と傾き３とのズレが燃圧による影響と推測されるので、当該比較結果は、対象車両の始動時間の長期化がインジェクタや高圧燃料ポンプ等の故障によるとの１つの判定材料になる。
【００２１】
さらに、複数の他車両との比較において、例えば、対象車両の総走行距離が平均的で且つＴ１が傾き１から外れており、対象車両の燃圧が平均的で且つＴ２が傾き２から外れており、対象車両のエンジン水温が平均的で且つＴ３が傾き３から外れているという比較結果が得られたとする。この比較結果から、これらのズレは燃圧またはエンジン水温の誤検出による影響と推測されるので、当該比較結果は、対象車両の始動時間の長期化が燃圧センサまたはエンジン水温センサの故障によるとの１つの判定材料になる。
【００２２】
このように、本発明では、対象車両における始動時間の長期化の原因を、変動要因および変動要因と始動時間との相関性に基づき、多角的に分析することから、対象車両の始動時間の長期化が故障によるものか、使用態様によるものかの判定精度を向上させることができ、これにより、異常監視システムにおける監視精度を向上させることができる。
【００２３】
そうして、判定結果を対象車両の運転者に伝達することで、対象車両に関する情報を運転者に呈示して、例えば故障個所の修理を促したり、始動時間が遅いことに違和感を覚える運転者に安心感を与えたりすることができる。
【発明の効果】
【００２４】
以上説明したように、本発明に係る異常監視システムによれば、エンジンの始動時間に基づく、エンジン始動系部品の故障の有無の監視精度を高めることができる。
【図面の簡単な説明】
【００２５】
【図１】本発明の実施形態に係る車両に搭載されるエンジンの要部を模式的に示す図である。
【図２】車両に搭載されるＥＣＵを模式的に示すブロック図である。
【図３】異常監視システムを模式的に説明する図である。
【図４】ＥＣＵに記憶されている使用負荷領域履歴の一例を模式的に示すマップ図である。
【図５】サーバーによるデータベースの処理手順を模式的に説明する図である。
【図６】車両側での制御の一例を示すフローチャートである。
【図７】情報センター側での制御の一例を示すフローチャートである。
【図８】異常監視システムによる判定結果の利用態様を模式的に説明する図であり、同図（ａ）は、車両の始動時間の長期化が使用態様による場合を示し、同図（ｂ）は、車両の始動時間の長期化が故障による場合を示す。
【発明を実施するための形態】
【００２６】
以下、本発明を実施するための形態を図面に基づいて説明する。
【００２７】
−車両−
図１は、本実施形態に係る車両Ａ（図３参照）に搭載されるエンジン１の要部を模式的に示す図である。図１には１つのシリンダ１１（気筒）のみを示すが、本実施形態のエンジン１は、例えば４つのシリンダ１１が一列に並んだシリンダブロック１２と、このシリンダブロック１２の上部に取り付けられたシリンダヘッド１３とを備えている。各シリンダ１１内には、コネクティングロッド１５を介してクランクシャフト１６に連結されたピストン１４が往復動可能に挿入されている。
【００２８】
シリンダブロック１２の下部１２ａにはオイルＯを貯留するオイルパン１８が取り付けられており、このオイルパン１８とシリンダブロック１２の下部１２ａとによって、クランクシャフト１６が収容されるクランクケース１９が構成されている。このクランクケース１９の内部には、クランクポジションセンサ９１が設けられている。また、オイルパン１８の底部には、オイルＯの温度を検出するエンジン油温センサ９２が設けられている。さらに、シリンダブロック１２の側壁部には、エンジン水温を検出するエンジン水温センサ９３が設けられている。
【００２９】
クランクケース１９の内部には、チェーンなどを介してクランクシャフト１６により駆動されるオイルポンプ１７が設けられている。オイルポンプ１７は、オイルストレーナ１７ａを介して、オイルパン１８に貯留されているオイルＯを吸い上げて、ピストン１４やクランクシャフト１６の軸受けなど、エンジン１の各潤滑部に供給するように構成されている。
【００３０】
一方、シリンダ１１の上端を閉ざすシリンダヘッド１３の下面には、シリンダ１１毎に点火プラグ４が設けられるとともに、吸気通路２の下流端部である吸気ポート２０と、排気通路３の上流端部である排気ポート３０とがそれぞれ開口している。これら吸気ポート２０および排気ポート３０には、吸気バルブ２１および排気バルブ３１がそれぞれ設けられていて、これら吸気バルブ２１および排気バルブ３１は、動弁系の吸気カムシャフト２２および排気カムシャフト３２によってそれぞれ開閉されるようになっている。
【００３１】
吸気通路２においてエアクリーナ（図示せず）の下流側には、スロットルモータ２３ａによって駆動されるスロットルバルブ２３と、サージタンク２４とが設けられており、その下流側に吸気マニホールド２５が接続されている。また、吸気通路２には、吸気温センサを内蔵したエアフローメータ９４と、スロットルバルブ２３の開度（スロットル開度）を検出するスロットル開度センサ９５とが設けられている。
【００３２】
また、吸気通路２にはインジェクタ５が設けられており、このインジェクタ５によって吸気ポート２０に燃料が噴射されることで混合気が生成される。吸気行程でシリンダ１１内に吸入された混合気は、イグナイタ４１から高電圧を受けた点火プラグ４により点火される。なお、インジェクタ５には、当該インジェクタ５の燃料噴射圧（燃圧）を検出する燃圧センサ８４が設けられている。
【００３３】
各インジェクタ５への燃料供給系は、燃料タンク５０と、燃料供給配管５１と、高圧燃料ポンプ５２と、を備えている。高圧燃料ポンプ５２は、例えば吸気カムシャフト２２に設けられた駆動カムによってプランジャが駆動されることにより、吸入した燃料を昇圧して吐出する。なお、燃料タンク５０には、当該燃料タンク５０内の残燃料量を検出する燃料センサ９０が設けられている。
【００３４】
一方、排気通路３においては、各シリンダ１１の排気ポート３０を集合するように排気マニホールド３３が設けられている。排気マニホールド３３の下流側には、例えば三元触媒など、排気を浄化するための触媒３４が設けられており、その上流側には、Ａ／Ｆセンサ（空燃比センサ）９６が設けられ、また、下流側には酸素センサ９７が設けられている。
【００３５】
−ＥＣＵ−
図２は、車両Ａに搭載されるＥＣＵ１０を模式的に示すブロック図である。ＥＣＵ（Electric Control Unit）１０は、例えばＣＰＵ（Central Processing Unit）６１、ＣＰＵ６１が実行するプログラムおよびマップ等を予め記憶したＲＯＭ（Read Only Memory）６２、ＣＰＵ６１が必要に応じてデータを一時的に格納するＲＡＭ（Random Access Memory）６３、電源が遮断されている間もデータを保持するバックアップＲＡＭ６４、入出力インターフェース６５等を備えた所謂マイクロコンピュータを含んでいる。ＣＰＵ６１はＲＡＭ６３の一時記憶機能を利用しつつ予めＲＯＭ６２に記憶されたプログラムに従って信号処理を行うことにより車両Ａの各種制御を実行する。
【００３６】
ＥＣＵ１０には、上述した燃圧センサ８４、燃料センサ９０、クランクポジションセンサ９１、エンジン油温センサ９２、エンジン水温センサ９３、エアフローメータ９４、スロットル開度センサ９５、Ａ／Ｆセンサ９６、および、酸素センサ９７から、各種の検出結果等を表す信号が入力される。また、ＥＣＵ１０には、図１に示すように、図示しないアクセルペダルの操作量（アクセル開度）を検出するアクセル開度センサ９９から、アクセル開度を表す信号が入力される。
【００３７】
さらに、ＥＣＵ１０には、図２に示すように、カメラ８０によって撮像された車両Ａの周辺の画像データや、時計８１によって計測された各種操作等の開始時刻や終了時刻を表す信号や、イグニッションスイッチ８５からのイグニッションオンまたはイグニッションオフを表す信号や、外気温センサ８６によって検出された外気温を表す信号や、車輪速センサ８７によって検出された車輪の回転速度を表す信号や、電流センサ８８によって検出されたバッテリ（図示せず）の電流値を表す信号や、電圧計８９によって検出されたバッテリの電圧値を表す信号などが入力される。
【００３８】
ＥＣＵ１０は、これらのセンサ等から入力される信号に基づいて種々の制御プログラムを実行することにより、エンジン１の運転制御を行う。具体的には、アクセル開度やエンジン１の負荷率および回転速度や車速等に基づいて、エンジン１の目標トルクを算出し、この目標トルクを出力するように、点火プラグ４による点火時期の制御、インジェクタ５による燃料噴射の制御、およびスロットルモータ２３ａによるスロットル開度の制御を実行する。また、ＥＣＵ１０は、スタータモータ６によるエンジン１の始動制御を実行する。
【００３９】
加えて、ＥＣＵ１０には、ナビゲーション装置８２、データ送信装置７およびデータ受信装置８がそれぞれ接続されている。ナビゲーション装置８２は、ＧＰＳアンテナ８３を介して、複数のＧＰＳ衛星から送信された信号を受信する。ナビゲーション装置８２は、ＧＰＳ衛星からの信号を受信することで車両Ａの現在地を特定すると、車両Ａの現在地情報をＥＣＵ１０に出力するように構成されている。データ送信装置７は、遠隔地にある情報センター７１に設けられたサーバー７２（図３参照）に各種データを送信するように構成されている。情報センター７１は、車両Ａから送信される車両情報や、Ｗｅｂサイト等から取得した情報を利用して、運転者に対して種々のサービス情報を提供する施設である。一方、データ受信装置８は、サーバー７２から各種データを受信するように構成されている。
【００４０】
以上のように構成されたエンジン１およびＥＣＵ１０を備える車両Ａは、以下に説明する本実施形態の異常監視システム７０の一部を構成している。
【００４１】
−異常監視システム−
図３は、異常監視システム７０を模式的に示す図である。この異常監視システム７０は、車両Ａを含む複数の車両Ｂ，Ｃ，Ｄ，…と情報センター７１とを備え、車両Ａ（対象車両）におけるエンジン１の始動時間ｔ(A)に基づいてエンジン始動系部品の故障の有無を監視するものである。
【００４２】
なお、エンジン１の始動時間とは、クランキングによりエンジン始動が開始されて、インジェクタ５から噴射される燃料の燃焼によりエンジン回転速度が所定回転速度に到達するまでの時間をいう。具体的には、イグニッションスイッチ８５のオン（スタータモータ６のオン）から、クランクポジションセンサ９１からの信号に基づいて算出されるエンジン回転速度が所定回転速度に到達するまでの時間であり、時計８１によって計測される。
【００４３】
また、本実施形態において「エンジン始動系部品」とは、例えばバッテリや点火プラグ４やインジェクタ５や高圧燃料ポンプ５２等といったエンジン始動に直接的に用いられる部品のみならず、例えばエンジン水温センサ９３や燃圧センサ８４等といった、間接的ではあるがエンジン始動制御に関連する部品をも含むものである。
【００４４】
さらに、本実施形態において「故障」とは、耐用年数内での使用に伴って生じる通常の経年劣化とは異なり、耐用年数内であるにも拘わらず想定外の短さで寿命を迎える（作動不良等を生じる）場合を意味する。具体的には、燃料供給系でいえば高圧燃料ポンプ５２の燃圧不足や、燃圧センサ８４の特性ズレによる燃圧誤認を、また油密不良としてインジェクタ５のノズルの開弁不良を、さらに摩擦故障としてピストンリング１４ａ（図１参照）の摩耗による圧縮圧の低下などを挙げることができる。
【００４５】
そうして、これらのエンジン始動系部品に「故障」がある場合には、「故障」がない場合に比して、エンジン１の始動時間ｔ(A)は遅れる（長くなる）ことから、本実施形態の異常監視システム７０では、基本的には、時計８１によって計測されたエンジン１の始動時間ｔ(A)に基づいてエンジン始動系部品の故障の有無を監視する。
【００４６】
しかしながら、始動時間が長くなるという現象は、故障によってのみ生じる訳ではなく、例えば、エンジン水温が低い、ソーク時間が長い、といった劣化とは無関係な要因（使用態様）に起因して生じることもある。
【００４７】
また、使用態様等に応じて生じる通常の経年劣化と、故障とを、始動時間に基づいて明確に判別することは容易ではない。なぜなら、始動時間が長いときに、例えば、総走行距離が短かれば故障と、総走行距離が長ければ通常の経年劣化と、切り分けることも考えられるが、総走行距離が短くても、上述の如く劣化とは無関係な要因に起因して始動時間が長くなる場合があり、かかる場合に故障と誤判定するおそれがあるからである。
【００４８】
そこで、本実施形態の異常監視システム７０では、複数の他車両Ｂ，Ｃ，Ｄ，…から始動時間および始動時間に影響する変動要因を取得するとともに、これら複数の他車両Ｂ，Ｃ，Ｄ，…における始動時間や変動要因等との比較に基づき、車両Ａの始動時間ｔ(A)の長期化が、使用態様等によるものか否かを判定するようにしている。
【００４９】
具体的には、監視対象である車両Ａ側では、原則としてエンジン１の始動が行われる度に、ＥＣＵ１０がデータ送信装置（送信手段）７を介して、時計８１によって計測された当該車両Ａにおけるエンジン１の始動時間ｔ(A)と、始動時間ｔ(A)に影響する変動要因に関する変動要因情報と、を情報センター７１へ送信する。
【００５０】
かかる「変動要因情報」の例として、以下の情報を挙げることができる。
【００５１】
（１）燃圧
燃圧が低ければ始動時間は長くなり、高ければ始動時間は短くなる傾向にあることから、燃圧は始動時間に影響する変動要因といえる。燃圧は、燃圧センサ８４によって検出される。燃圧は、始動時間ｔ(A)の長期化が、インジェクタ５、高圧燃料ポンプ５２、燃圧センサ８４の「故障」によるとの１つの判定材料になる。
【００５２】
（２）前回のイグニッションオフ時刻および今回のイグニッションオン時刻
今回のイグニッションオン時刻と前回のイグニッションオフ時刻との差であるソーク時間が長ければ始動時間は長くなり、短ければ始動時間は短くなる傾向にあることから、これらの時刻は始動時間に影響する変動要因といえる。前回のイグニッションオフと今回のイグニッションオンとは、時計８１とイグニッションスイッチ８５とによって検出される。ソーク時間は、始動時間ｔ(A)の長期化が使用態様によるとの１つの判定材料になる。
【００５３】
（２ａ）直近前回トリップ時のエンジン水温
なお、ソーク時間を算出するのに、直近前回トリップ時のエンジン水温を用いてもよい。より詳しくは、エンジン水温センサ９３によって検出された直近前回トリップ時のエンジン水温および現在のエンジン水温と、外気温センサ８６によって検出される外気温とから、当該外気温下でエンジン水温の上がり方（または下がり方）を見て、ソーク時間を算出してもよい。
【００５４】
（３）エンジン水温（今回始動時）
エンジン水温が低ければ始動時間は長くなり、高ければ始動時間は短くなる傾向にあることから、エンジン水温は始動時間に影響する変動要因といえる。エンジン水温は、エンジン水温センサ９３によって検出される。エンジン水温は、始動時間ｔ(A)の長期化が、使用態様によるとの１つの判定材料になるとともに、エンジン水温センサ９３の「故障」によるとの１つの判定材料になる。
【００５５】
（４）外気温
外気温が高い場合には、インジェクタ５の油密洩れが大きくなり、燃焼状態が悪化してエンジンが始動不良となる場合があることから、外気温は始動時間に影響する変動要因といえる。外気温は、外気温センサ８６によって検出される。外気温は、始動時間ｔ(A)の長期化が使用態様によるとの１つの判定材料にとともに、外気温センサ８６の「故障」によるとの１つの判定材料になる。
【００５６】
（５）総走行距離
総走行距離が長ければ始動時間は長くなり、短ければ始動時間は短くなる傾向にあることから、総走行距離は始動時間に影響する変動要因といえる。総走行距離は、車輪速センサ８７の検出結果に基づいて算出される。総走行距離は、始動時間ｔ(A)の長期化が使用態様によるとの有力な判定材料になる。
【００５７】
（６）使用負荷領域履歴
過去に厳しい運転条件で使用された時間が長ければ始動時間は長くなり、短ければ始動時間は短くなる傾向にあることから、使用負荷領域履歴は始動時間に影響する変動要因といえる。使用負荷領域履歴は、例えば図４に示すように、どのようなエンジン回転速度においてどのような負荷率で車両Ａが何時間ＴA、ＴB、…、ＴL使用されてきたかを表すものであり、マップ化されてＲＯＭ６２に記憶されている。使用負荷領域履歴は、始動時間ｔ(A)の長期化が使用態様によるとの有力な判定材料になる。
【００５８】
なお、後述するように、他車両Ｂ，Ｃ，Ｄ，…の使用負荷領域履歴と車両Ａの使用負荷領域履歴とを比較する場合には、例えば高回転−高負荷における使用時間ＴL同士を比較することで、車両Ａが他車両Ｂ，Ｃ，Ｄ，…に比して、過去に厳しい運転条件で使用された時間が長いか否かを判定することができる。
【００５９】
（６ａ）直近前回の１トリップにおける走行距離
使用負荷領域履歴の一態様として、直近前回の１トリップにおける走行距離を採用してもよい。つまり、直近前回の１トリップにおける走行距離が余りに短いと、燃焼状態が良くなる前にイグニッションオフされた可能性が高く、今回の始動時間ｔ(A)が長くなる一要因となり得る。
【００６０】
（７）エンジン油温
エンジン油温が低ければオイルＯの粘性が高くなって始動時間は長くなり、高ければオイルＯの粘性が低くなって始動時間は短くなる傾向にあることから、エンジン油温は始動時間に影響する変動要因といえる。エンジン油温は、エンジン油温センサ９２によって検出される。エンジン油温は、始動時間ｔ(A)の長期化が使用態様によるとの１つの判定材料になるとともに、エンジン油温センサ９２の「故障」によるとの１つの判定材料になる。
【００６１】
（８）バッテリ電流およびバッテリ電圧
バッテリ電流およびバッテリ電圧が低ければ始動時間は長くなることから、これらは始動時間に影響する変動要因といえる。バッテリ電流およびバッテリ電圧は、電流センサ８８および電圧計８９によってそれぞれ検出される。バッテリ電流およびバッテリ電圧は、始動時間ｔ(A)の長期化が、バッテリ、電流センサ８８、電圧計８９の「故障」によるとの１つの判定材料になる。
【００６２】
（９）吸入空気量
吸入空気量が少なければ始動時間は長くなり、多ければ始動時間は短くなる傾向にあることから、吸入空気量は始動時間に影響する変動要因といえる。吸入空気量は、エアフローメータ９４によって検出される。吸入空気量は、始動時間ｔ(A)の長期化が、スロットルモータ２３ａ、エアフローメータ９４の「故障」によるとの１つの判定材料になる。
【００６３】
（１０）画像、現在地情報および燃料残量
画像、現在地情報および燃料残量は、それら単体では始動時間に影響する変動要因とはいえないが、これらを合わせることで、始動時間に影響する変動要因データの適正化に資することになる。例えば、通常であれば燃料の品質は特に問題にはならないが、地域によっては品質の低い燃料が給油される場合があり、この場合には、始動時間が明らかに遅くなるため、このような始動時間は特異点として除去するのが好ましい。もっとも、坂道等を走行していると、燃料センサ９０が燃料残量の増加を検出する場合があるため、給油によって燃料残量が増えたか否かを燃料センサ９０のみで判断することは容易ではない。そこで、例えば、画像によってガソリンスタンドが確認され、ナビゲーション装置８２からの現在地情報によって品質の低い燃料が給油され得る地域か否かが確認され、且つ、燃料センサ９０によって燃料残量の増加が確認された場合には、このような状況下での始動時間ｔ(A)をデータベースから除去することができる。
【００６４】
（１０ａ）給油後走行距離
給油後走行距離も、それ単体では始動時間に影響する変動要因とはいえないが、品質の低い燃料が給油されることで始動時間が明らかに遅くなるという現象がいつまで継続されるか、換言すると、特異点としていつまで除去するかの判定材料となることで、始動時間に影響する変動要因データの適正化に資することになる。
【００６５】
一方、情報センター７１には、図３に示すように、サーバー７２が設けられており、このサーバー７２が、車両Ａからの始動時間ｔ(A)および変動要因情報を受信するとともに、車両Ａと同種のＥＣＵおよびデータ送信装置が搭載された複数の他車両Ｂ，Ｃ，Ｄ，…から始動時間および変動要因情報を受信する。これにより、サーバー７２には、本発明が適用される複数の車両Ａ，Ｂ，Ｃ，Ｄ，…から、始動時間、燃圧、前回のイグニッションオフ時刻、今回のイグニッションオン時刻、直近前回トリップ時のエンジン水温、エンジン水温（今回始動時）、外気温、総走行距離、使用負荷領域履歴、直近前回の１トリップにおける走行距離、エンジン油温、バッテリ電流、バッテリ電圧、吸入空気量、画像、現在地情報、燃料残量などの情報が集積されるようになっている。
【００６６】
先ず、サーバー７２は、車両Ａの始動時間ｔ(A)が複数の他車両Ｂ，Ｃ，Ｄ，…の始動時間と比較して長いか否かを判定する。具体的には、サーバー７２は、図３（ａ）に示すように、複数の車両Ａ，Ｂ，Ｃ，Ｄ，…から送信された始動時間を、横軸に始動時間を縦軸に頻度をとってヒストグラム化し、このヒストグラムに基づいて、車両Ａから送信された始動時間ｔ(A)が長いか（長期化しているか）否かを判定する。
【００６７】
ここで、サーバー７２は、例えば車両Ａの始動時間ｔ(A)が最頻値であれば、車両Ａの始動時間ｔ(A)は長期化していないと、換言すると、「始動時間良好」と判定し、その判定結果を車両Ａのデータ受信装置８に送信する。
【００６８】
これに対し、車両Ａの始動時間ｔ(A)が複数の他車両Ｂ，Ｃ，Ｄ，…の始動時間と比較して長い場合には、換言すると、図３（ａ）に示すように、車両Ａの始動時間ｔ(A)が最頻値から大きく外れている場合には、サーバー７２は判定処理を継続する。具体的には、サーバー７２は、変動要因および変動要因と始動時間との相関係数（相関性）に関する、複数の他車両Ｂ，Ｃ，Ｄ，…と車両Ａとの比較に基づいて、車両Ａの始動時間ｔ(A)の長期化が故障によるものか、使用態様によるものかを判定する。
【００６９】
なお、比較対象は全車両（複数の他車両Ｂ，Ｃ，Ｄ，…）である必要はなく、例えば複数の他車両Ｂ，Ｃ，Ｄ，…のうち所定の条件に合致する車両群を比較対象としてもよい。具体的には、複数の他車両Ｂ，Ｃ，Ｄ，…のうち、例えば始動時間が車両Ａと同等である車両群や、総走行距離が車両Ａと同等である車両群など、複数の他車両のうち始動時間および／または変動要因が車両Ａと似ている車両群を比較対象としてもよい。もっとも、以下では、車両Ａとの比較対象を、全車両（複数の他車両Ｂ，Ｃ，Ｄ，…）として、サーバー７２が実行する判定処理を説明する。
【００７０】
サーバー７２は、図３（ｂ）に示すように、集積されたデータを、変動要因毎に層別化する。なお、層別化される変動要因は、複数の車両Ａ，Ｂ，Ｃ，Ｄ，…から直接送信された変動要因である必要はなく、例えば変動要因同士を組み合わせたり、変動要因に基づいて算出したりすることで得られた変動要因でもよい。具体的な変動要因例としては、燃圧、給油後走行距離、ソーク時間、直近前回トリップ時のエンジン水温、エンジン水温（今回始動時）、外気温、吸入空気量、バッテリ電流、バッテリ電圧、総走行距離、直近前回の１トリップにおける走行距離、使用負荷領域履歴、最高速度、平均車速、圧縮抜け回数、クランキング回転速度、Ａ／Ｆ学習値、スロットルデポ学習値などを挙げることができる。
【００７１】
サーバー７２は、上述の如く、画像、現在地情報、燃料残量および給油後走行距離などに基づき、層別化された変動要因毎のデータから、異常に長い始動時間を特異点として抽出（除去）し、図３（ｃ）に示すように、適正化された変動要因毎のデータに基づき、各変動要因をヒストグラム化するとともに、各変動要因と始動時間との相関係数をヒストグラム化する。例えば、燃圧であれば、燃圧および燃圧−始動時間相関係数をヒストグラム化し、また、ソーク時間であれば、ソーク時間およびソーク時間−始動時間相関係数をヒストグラム化し、さらに、エンジン水温であれば、エンジン水温およびエンジン水温−始動時間相関係数をヒストグラム化する。なお、相関係数は、（相関係数）＝（共分散）÷（（始動時間の標準偏差）×（変動要因の標準偏差））で算出される。
【００７２】
サーバー７２は、図３（ｄ）に示すように、変動要因毎に得られた、変動要因のヒストグラムおよび変動要因−始動時間相関係数のヒストグラムを用いて、車両Ａの始動時間ｔ(A)および各変動要因との比較に基づいて、始動時間ｔ(A)の長期化が故障によるものか、使用態様によるものかを判定する。
【００７３】
例えば、複数の他車両Ｂ，Ｃ，Ｄ，…との比較において、車両Ａの燃圧（変動要因）が最頻値から外れ（低く）且つ相関係数が最頻値からほとんど外れておらず、車両Ａのソーク時間（変動要因）が最頻値で且つ相関係数が最頻値から外れており、車両Ａのエンジン水温（変動要因）が最頻値で且つ相関係数が最頻値から外れているという比較結果が得られたとする。この比較結果から、ソーク時間およびエンジン水温が最頻値であるにもかかわらず、ソーク時間およびエンジン水温の相関係数が最頻値から外れているのは、燃圧による影響と推測される。よって、この比較結果は、車両Ａの始動時間ｔ(A)の長期化がインジェクタ５や高圧燃料ポンプ５２の故障によるとの１つの判定材料になる。
【００７４】
また、複数の他車両Ｂ，Ｃ，Ｄ，…との比較において、車両Ａの燃圧が最頻値で且つ相関係数が最頻値から外れており、車両Ａのソーク時間が最頻値から外れ（短く）且つ相関係数が最頻値からほとんど外れておらず、車両Ａのエンジン水温が最頻値で且つ相関係数が最頻値から外れているという比較結果が得られたとする。この比較結果から、燃圧およびエンジン水温の相関係数が最頻値から外れているのは、ソーク時間による影響と推測される。よって、この比較結果は、車両Ａの始動時間ｔ(A)の長期化が使用態様（ソーク時間の短さ）によるとの１つの判定材料になる。
【００７５】
さらに、複数の他車両Ｂ，Ｃ，Ｄ，…との比較において、車両Ａの燃圧が最頻値で且つ相関係数が最頻値から外れており、ソーク時間が最頻値で且つ相関係数が最頻値から外れており、エンジン水温が最頻値で且つ相関係数が最頻値から外れているという比較結果が得られたとする。この比較結果から、これらのズレは燃圧またはエンジン水温の誤検出による影響と推測される。よって、この比較結果は、車両Ａの始動時間ｔ(A)の長期化が燃圧センサ８４またはエンジン水温センサ９３の故障によるとの１つの判定材料になる。
【００７６】
なお、このような全車両（複数の他車両Ｂ，Ｃ，Ｄ，…）から得られた変動要因のヒストグラムおよび変動要因−始動時間相関係数のヒストグラムのみならず、例えば、図５（ａ）に示すように、始動時間が良好な（例えば上位２０％の）車両から得られる、変動要因のヒストグラムおよび変動要因−始動時間相関係数のヒストグラムや、図５（ｂ）に示すように、始動時間が不良な（例えば下位２０％の）車両から得られる、変動要因のヒストグラムおよび変動要因−始動時間相関係数のヒストグラムを判定に用いてもよい。これらのヒストグラムも車両Ａの始動時間ｔ(A)の長期化の原因を探る上で、重要な判定材料となる。
【００７７】
以上のように、複数の変動要因毎に比較結果を一つ一つ積み上げていくことで、始動時間ｔ(A)の長期化の原因を絞り込むことが可能となる。つまり、本実施形態では、車両Ａにおける始動時間ｔ(A)の長期化の原因を、変動要因および変動要因と始動時間との相関係数に基づき、多角的に分析することから、車両Ａの始動時間ｔ(A)の長期化が故障によるものか、使用態様によるものかの判定精度を向上させることができる。
【００７８】
そうして、例えば、燃圧が想定外に低い場合や、バッテリ電圧および電流が想定外に低い場合など、車両Ａの始動時間ｔ(A)の長期化が特定のエンジン始動系部品の故障による可能性が高い場合には、サーバー７２は「故障による始動時間不良」と判定を行う。
【００７９】
一方、例えば、エンジン水温が低いため、ソーク時間が短いため、総走行距離が長いため、車両Ａが厳しい運転状態を経てきた（使用負荷領域履歴）ためなど、車両Ａの始動時間ｔ(A)の長期化が特定の使用態様による可能性が高い場合には、サーバー７２は「使用態様による始動時間不良」と判定を行う。
【００８０】
ここで、車両Ａの始動時間ｔ(A)の長期化が、故障によるものか使用態様によるものか微妙な場合や、複数の変動要因に起因している可能性がある場合などが当然予想されるが、これらの場合に、サーバー７２は、「故障による始動時間不良」とは積極的に判定せず、一旦「使用態様による始動時間不良」との判定を行う。このようにすることで、次回以降のエンジン１の始動時までに、複数の他車両Ｂ，Ｃ，Ｄ，…からの情報送信によって更なるデータが蓄積されることになる。また、例えば、車両Ａと同様の状態の他車両が特定のエンジン始動系部品の故障を修理した場合には、そのような情報も蓄積されることになる。これらを通じてサーバー７２の学習が行われ、その判定精度を逐次高めることができるので、今回は積極的な判定が行われなくても、次回以降に、車両Ａの始動時間ｔ(A)の長期化が故障によるものか、使用態様によるものかの判定を行うことが可能になる。
【００８１】
そうして、サーバー７２は、図３（ｅ）に示すように、「始動時間良好」、「故障による始動時間不良」または「使用態様による始動時間不良」といった判定結果を車両Ａのデータ受信装置８に送信する。ＥＣＵ１０は、インストルメントパネルに設けられたディスプレイ（図示せず）や音声を通じて、これらの判定結果を運転者に伝達する。
【００８２】
−フローチャート−
次に、ＥＣＵ１０が実行する車両Ａ側での制御の一例を、図６に示すフローチャートを参照しながら説明するとともに、サーバー７２が実行する情報センター７１側での制御の一例を、図７に示すフローチャートを参照しながら説明する。
【００８３】
図６に示すように、先ずステップＳＡ１では、ＥＣＵ１０が、イグニッションスイッチ８５からの信号に基づき、クランキングが開始されたか否かを判定する。このステップＳＡ１での判定がＮＯの場合には、そのままＥＮＤする。一方、このステップＳＡ１での判定がＹＥＳの場合には、ＥＣＵ１０が時計８１によって計測されたクランキング開始時刻を記憶し、ステップＳＡ２に進む。
【００８４】
次のステップＳＡ２では、ＥＣＵ１０が、エンジン始動が完了したか否かを判定する。ＥＣＵ１０は、クランクポジションセンサ９１からの信号に基づいて算出されるエンジン回転速度が所定回転速度に到達していない場合には、否定（ＮＯ）判定を行う。一方、エンジン回転速度が所定回転速度に到達した場合には、ＥＣＵ１０は、肯定（ＹＥＳ）判定を行うとともに、時計８１によって計測されたクランキング終了時刻と記憶したクランキング開始時刻に基づき始動時間ｔ(A)を算出した後、ステップＳＡ３に進む。
【００８５】
次のステップＳＡ３では、ＥＣＵ１０が、車両Ａの現在地がデータ送信装置７から情報センター７１へ情報を送信可能な位置か否かを判定する。このステップＳＡ３での判定がＮＯの場合には、情報センター７１への情報の送信タイミングを待つ一方、車両Ａが移動することで、ステップＳＡ３での判定がＹＥＳになった場合には、ステップＳＡ４に進む。
【００８６】
次のステップＳＡ４では、ＥＣＵ１０が、車両Ａの始動時間ｔ(A)および変動要因情報を、データ送信装置７を通じて情報センター７１へ送信した後、ステップＳＡ５に進む。ここで、一旦情報センター７１側での制御の説明に移る。
【００８７】
図７に示すように、先ずステップＳＢ１では、サーバー７２が、車両Ａのデータ送信装置７から、始動時間ｔ(A)および変動要因情報を受信したか否かを判定する。このステップＳＢ１での判定がＮＯの場合には、そのままＥＮＤする。一方、このステップＳＢ１での判定がＹＥＳの場合には、サーバー７２が、複数の他車両Ｂ，Ｃ，Ｄ，…から受信した情報と共に、車両Ａの始動時間ｔ(A)および変動要因情報を集積し、ステップＳＢ２に進む。
【００８８】
次のステップＳＢ２では、サーバー７２が、始動時間ｔ(A)と他車両Ｂ，Ｃ，Ｄ，…の始動時間とを比較し、ステップＳＢ３に進む。次のステップＳＢ３では、サーバー７２が、始動時間ｔ(A)が他車両Ｂ，Ｃ，Ｄ，…の始動時間と比較して長いか否かを判定する。このステップＳＢ３での判定がＮＯの場合には、ステップＳＢ４に進み、サーバー７２が「始動時間良好」と判定した後、ステップＳＢ１０に進む。一方、ステップＳＢ３での判定がＹＥＳの場合には、ステップＳＢ５に進む。
【００８９】
次のステップＳＢ５では、サーバー７２が、他車両Ｂ，Ｃ，Ｄ，…から受信した情報に基づき、始動時間と各変動要因との相関係数を算出した後、ステップＳＢ６に進む。次のステップＳＢ６では、サーバー７２が、変動要因およびステップＳＢ５で算出した相関係数を用いて、他車両Ｂ，Ｃ，Ｄ，…と車両Ａとを比較した後、ステップＳＢ７に進む。
【００９０】
次のステップＳＢ７では、サーバー７２が、始動時間ｔ(A)が特定の使用態様に起因して長いか否かを判定する。具体的には、サーバー７２は、車両Ａの始動時間ｔ(A)の長期化が特定の使用態様による可能性が高い場合には肯定（ＹＥＳ）判定を行う。また、サーバー７２は、故障によるものか使用態様によるものか微妙な場合や、複数の変動要因に起因している可能性がある場合にも肯定（ＹＥＳ）判定を行う。一方、サーバー７２は、車両Ａの始動時間ｔ(A)の長期化が特定のエンジン始動系部品の故障による可能性が高い場合には否定（ＮＯ）判定を行う。このステップＳＢ７での判定がＹＥＳの場合には、ステップＳＢ８に進み、サーバー７２が「使用態様による始動時間不良」と判定した後、ステップＳＢ１０に進む。一方、ステップＳＢ７での判定がＮＯの場合には、ステップＳＢ９に進み、サーバー７２が「故障による始動時間不良」と判定した後、ステップＳＢ１０に進む。
【００９１】
次のステップＳＢ１０では、サーバー７２が、ステップＳＢ４、ステップＳＢ８、または、ステップＳＢ９の判定結果を車両Ａに送信した後、ＥＮＤする。ここで、再び車両Ａ側での制御の説明に移る。
【００９２】
図６に示すように、ステップＳＡ５では、ＥＣＵ１０が、情報センター７１からの情報を受信可能な状況か否かを判定する。このステップＳＡ５での判定がＮＯの場合には、そのまま待機する一方、このステップＳＡ５での判定がＹＥＳの場合には、ステップＳＡ６に進む。
【００９３】
次のステップＳＡ６では、ＥＣＵ１０が、判定結果を情報センター７１（より正確にはサーバー７２）から受信した後、ステップＳＡ７に進み、インストルメントパネルに設けられたディスプレイや音声を通じて、これらの判定結果を運転者に伝達し、その後ＥＮＤする。
【００９４】
以上のように、車両Ａの始動時間ｔ(A)の長期化が故障によるものか、使用態様によるものかの判定精度を向上させることで、本実施形態の異常監視システム７０では、監視結果を以下のように利用することが可能となる。
【００９５】
車両Ａの始動時間ｔ(A)の長期化が使用態様による場合には、例えば図８（ａ）で示すように、サーバー７２は、運転者に「使用態様による始動時間不良」であることを伝達する（I）とともに、ディーラーに「使用態様による始動時間不良」であることを伝達する（II）。運転者からディーラーに問い合わせ等があった場合（III）には、ディーラーが詳細な使用態様や、故障には至らないまでも摩耗（経年劣化）が生じている部品等の情報を提供し（IV）、要望があれば整備を行うとともに、摩耗部品等の交換を勧める。
【００９６】
一方、車両Ａの始動時間ｔ(A)の長期化が故障による場合には、例えば図８（ｂ）で示すように、サーバー７２は、運転者に「故障による始動時間不良」であることを伝達する（I）とともに、ディーラーに「故障による始動時間不良」であることを伝達する（II）。また、サーバー７２は、メーカーに「故障による始動時間不良」であること、および、始動時間不良発生時の詳細な車両データを送信する（III）。
【００９７】
メーカーは、サーバー７２から受信した詳細な車両データに基づき、故障原因を解析し、ディーラーへ故障原因を報告する（IV）。
【００９８】
運転者からディーラーに問い合わせ等があった場合（V）には、ディーラーは故障部品等の修理が必要な旨を伝える（VI）。ディーラーは、運転者が車両Ａをディーラーへ入庫するのに先立ち、メーカーへ交換部品を発注する（VII）。これにより、運転者が車両Ａをディーラーへ入庫した際には、交換部品が用意されており、速やかに故障の修理を行うことができる。
【００９９】
（その他の実施形態）
本発明は、実施形態に限定されず、その精神又は主要な特徴から逸脱することなく他の色々な形で実施することができる。
【０１００】
上記実施形態では、データ受信装置８を用いて判定結果を受信するようにしたが、これに限らず、例えば、運転者が携帯しているスマートフォン等を用いて判定結果を受信するようにしてもよい。
【０１０１】
また、上記実施形態では、「相関性」として相関係数を採用したが、これに限らず、例えば、（変動要因、始動時間）を（ｘ、ｙ）で表した点列を直線近似して得られる近似直線の傾きを「相関性」として採用してもよい。
【０１０２】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【０１０３】
本発明によると、エンジンの始動時間に基づく、エンジン始動系部品の故障の有無の監視精度を高めることができるので、エンジン始動系部品の故障の有無を監視する異常監視システムに適用して極めて有益である。
【符号の説明】
【０１０４】
１          エンジン
７          データ送信装置（送信手段）
７０        異常監視システム
７１        情報センター
７２        サーバー
Ａ          車両（対象車両）
Ｂ，Ｃ，Ｄ  他車両
【図１】
2018189029.tif 000003
【図２】
2018189029.tif 000004
【図３】
2018189029.tif 000005
【図４】
2018189029.tif 000006
【図５】
2018189029.tif 000007
【図６】
2018189029.tif 000008
【図７】
2018189029.tif 000009
【図８】
2018189029.tif 000010